(57)【要約】【課題】径の異なる複数の電線を確実に固定し、粉塵の侵入防止能力も向上させた電線固定具を提供する。【解決手段】電線固定具は、ベース部１と、ベース部１の上面に覆設する２つのフタ部２、ベース部１とフタ部２とを連結する曲折可能な２つの連結部３とから構成されており、ベース部１、フタ部２、連結部３とは合成樹脂を材料として一体に形成されている。ベース部１の開口の両側方向半分ずつに覆設する２つのフタ部２，２の各下面前方には、ベース部１の滑り止め部４，４に対向した箇所に滑り止め部２０，２０が形成されており、ケーブルは、滑り止め部４，４と滑り止め部２０，２０とに上下方向から挟持・固定された状態になる。【選択図】　　　　図１
2004039994.tif 000002
【特許請求の範囲】
【請求項１】
ベース部、前記ベース部の上面に覆設する２つ以上のフタ部、前記ベース部と各フタ部とを連結する連結部を備えて、前記ベース部と各フタ部とは電気回路部の接続端子部に接続される電線を挿通させて挟持する挟持部を各々構成して、前記接続端子部を覆い、前記挟持部には電線滑り止め部を設けて、前記ベース部とフタ部と連結部とは樹脂で一体に成形されることを特徴とする電線固定具。
【請求項２】
前記電気回路部は少なくとも限流素子を含み、前記ベース部は、前記電気回路部の接続端子部の前面，側面及び下面を覆う壁面と、前記電線を挿通させる前記フタ部と同数の切り欠き部とを有し、前記各フタ部は、前記接続端子部の上面を覆う壁面を有して、前記ベース部の各切り欠き部とで前記電線を上下方向から挟持して前記挟持部を各々構成し、前記電線滑り止め部は前記切り欠き部に設けることを特徴とする請求項１記載の電線固定具。
【請求項３】
前記挟持部は、互いに高さの異なる２箇所以上で同一の電線を挟持することを特徴とする請求項１または２記載の電線固定具。
【請求項４】
前記ベース部は、内面上に１本以上の円柱体を立設し、前記挟持部を挿通してきた電線は前記円柱体に１回以上巻回することを特徴とする請求項１乃至３いずれか記載の電線固定具。
【請求項５】
前記円柱体は端面から軸方向に螺刻したねじ孔を備えており、前記フタ部は前記円柱体の端面に対向する箇所に開口を設けて、取付ねじを前記開口を介して前記円柱体のねじ孔に螺挿することで前記フタ部とベース部とを互いに固定することを特徴とする請求項４記載の電線固定具。
【請求項６】
前記挟持部は２本以上の電線を有するケーブルを挿通して、挟持し、前記フタ部は、前記挟持部を挿通してきたケーブルの各電線を分離する仕切壁を下面に立設したことを特徴とする請求項１乃至５いずれか記載の電線固定具。
【請求項７】
前記フタ部は、鋸歯状の突起を形成した棒体を下面に突設し、前記ベース部は、前記棒体が挿通する挿通孔を備えて、前記挿通孔の内部には前記鋸歯状の突起が嵌合する嵌合部が形成されていることを特徴とする請求項１乃至６いずれか記載の電線固定具。
【請求項８】
前記フタ部は電気回路部に設けられた嵌合片に嵌合する嵌合部を備えることを特徴とする請求項１乃至７いずれか記載の電線固定具。
【請求項９】
前記ベース部と前記２つ以上のフタ部とを各々連結する２つ以上の連結部は、前記ベース部及びフタ部から分離される手段を備えることを特徴とする請求項１乃至８いずれか記載の電線固定具。
【発明の詳細な説明】
【０００１】
【発明の属する技術分野】
本発明は、電線固定具に関するものである。
【０００２】
【従来の技術】
電気回路、例えば放電灯点灯装置の接続端子部には入出力電線が接続されており、この入出力電線が外部からの引張力で脱落したり、振動によって緩んで発熱したり、外力でずれて電線の被覆を損傷したり、あるいは電線の導体が機器に接触して短絡事故を起こしたりしないように、電線固定具を用いて電線を固定している場合がある。図１６，１７，１８は、２本の電線を各々有するケーブル５１，５２を固定する従来の電線固定具の構造を示している。図１６は従来の電線固定具の分解斜視図、図１７，１８は従来の電線固定具を実際の放電灯点灯装置に取り付けた場合の前面斜視図と側面図である。
【０００３】
この従来の電線固定具は、ベース部１０１と、ベース部１０１の上面に覆設するフタ部１０２、ベース部１０１とフタ部１０２とを連結する曲折可能な連結部１０３とから構成されている。
【０００４】
次に従来の電線固定具によるケーブル５１，５２の固定と、電線固定具の放電灯点灯装置１００への取り付けとについて説明する。まず、ベース部１０１を放電灯点灯装置１００に取り付けて、ケーブル５１，５２の各入出力用電線を放電灯点灯装置１００の接続端子部１０３に接続する。そして、ベース部１０１の上面前方には、３つの凹部１０４，１０５，１０６が形成されており、凹部１０４，１０５にはφ３．５〜５のケーブル５１を設置でき（図１７では凹部１０４のみにケーブル５１を収納している）、凹部１０６にはφ５〜１０のケーブル５２を設置できる。ここで、ケーブル５１はφ４の入力用ケーブル、ケーブル５２はφ７の出力用ケーブルであり、フタ部１０２の上面前端の凹部１０４，１０５に対応する箇所にはφ３．５〜５の刻印１２１が為され、凹部１０６に対応する箇所にはφ５〜１０の刻印１２２が為されている。次に、フタ部１０２の両側面の後側に上下方向に形成した断面略半円形の凹部からなる嵌合部１２３を、放電灯点灯装置１００の前面に上下方向に立設した嵌合筋部１５１の上側から嵌合させて、下方向にスライドさせることで、フタ部１０２をベース部１０１の上面に覆設させる。そして、各凹部１０４〜１０６の両端にはねじ孔１０７が形成され、このねじ孔１０７に対向したフタ部１０２の箇所には開孔１２０が形成されており、ねじ１５２が開孔１２０を介してねじ孔１０７に螺合し、ねじ１５２をねじ込むことで、凹部１０４〜１０５とフタ部１０２の下面とで構成される挿通孔に挿通したケーブル５１，５２は、凹部１０４，１０６とフタ部１０２の下面とで挟持・固定される。
【０００５】
したがって、ケーブル５１，５２に引張力が加わった場合でも、ケーブル５１，５２は接続端子部１５０の前段で電線固定具によって固定されているので、接続端子部１５０に接続しているケーブル５１，５２の各端末に伝達される引張力は緩和され、接続端子部１５０に伝達される引張力も緩和される。
【０００６】
【発明が解決しようとする課題】
しかし、上記従来の電線固定具は、各種径のケーブルに対応するために、３つの凹部１０４〜１０６を必要としており、両側方向の長さが、２本のケーブルのみに対応する（すなわち凹部を２つのみ形成する）場合より長くする必要があり、幅広になってしまう。
【０００７】
また、ケーブル５１，５２を固定した後、使用しない凹部１０５とフタ部１０２とで構成される挿入孔が空いてしまい、粉塵等が容易に内部に侵入する恐れがある。
【０００８】
さらに、入力用ケーブル５１と出力用ケーブル５２との各径に大きな差がある場合は、図１９のようにフタ部１０２がベース部１０１に対して略平行にならずに、斜めに傾いて覆設されることになり、ケーブル５１，５２を押える面が少なくなって、略平行状態で押える場合に比べてケーブル５１，５２を挟持・固定する力が弱まることになる。
【０００９】
本発明は、上記事由に鑑みてなされたものであり、その目的は、径の異なる複数の電線を確実に固定し、粉塵の侵入防止能力も向上させた電線固定具を提供することにある。
【００１０】
【課題を解決するための手段】
請求項１の発明は、ベース部、前記ベース部の上面に覆設する２つ以上のフタ部、前記ベース部と各フタ部とを連結する連結部を備えて、前記ベース部と各フタ部とは電気回路部の接続端子部に接続される電線を挿通させて挟持する挟持部を各々構成して、前記接続端子部を覆い、前記挟持部には電線滑り止め部を設けて、前記ベース部とフタ部と連結部とは樹脂で一体に成形されることを特徴とする。
【００１１】
請求項２の発明は、請求項１において、前記電気回路部は少なくとも限流素子を含み、前記ベース部は、前記電気回路部の接続端子部の前面，側面及び下面を覆う壁面と、前記電線を挿通させる前記フタ部と同数の切り欠き部とを有し、前記各フタ部は、前記接続端子部の上面を覆う壁面を有して、前記ベース部の各切り欠き部とで前記電線を上下方向から挟持して前記挟持部を各々構成し、前記電線滑り止め部は前記切り欠き部に設けることを特徴とする。
【００１２】
請求項３の発明は、請求項１または２において、前記挟持部は、互いに高さの異なる２箇所以上で同一の電線を挟持することを特徴とする。
【００１３】
請求項４の発明は、請求項１乃至３いずれかにおいて、前記ベース部は、内面上に１本以上の円柱体を立設し、前記挟持部を挿通してきた電線は前記円柱体に１回以上巻回することを特徴とする。
【００１４】
請求項５の発明は、請求項４において、前記円柱体は端面から軸方向に螺刻したねじ孔を備えており、前記フタ部は前記円柱体の端面に対向する箇所に開口を設けて、取付ねじを前記開口を介して前記円柱体のねじ孔に螺挿することで前記フタ部とベース部とを互いに固定することを特徴とする。
【００１５】
請求項６の発明は、請求項１乃至５いずれかにおいて、前記挟持部は２本以上の電線を有するケーブルを挿通して、挟持し、前記フタ部は、前記挟持部を挿通してきたケーブルの各電線を分離する仕切壁を下面に立設したことを特徴とする。
【００１６】
請求項７の発明は、請求項１乃至６いずれかにおいて、前記フタ部は、鋸歯状の突起を形成した棒体を下面に突設し、前記ベース部は、前記棒体が挿通する挿通孔を備えて、前記挿通孔の内部には前記鋸歯状の突起が嵌合する嵌合部が形成されていることを特徴とする。
【００１７】
請求項８の発明は、請求項１乃至７いずれかにおいて、前記フタ部は電気回路部に設けられた嵌合片に嵌合する嵌合部を備えることを特徴とする。
【００１８】
請求項９の発明は、請求項１乃至８いずれかにおいて、前記ベース部と前記２つ以上のフタ部とを各々連結する２つ以上の連結部は、前記ベース部及びフタ部から分離される手段を備えることを特徴とする。
【００１９】
【発明の実施の形態】
以下、本発明の実施の形態を図面に基づいて説明する。
【００２０】
（実施形態１）
本実施形態の電線固定具を図１〜８に基づいて説明する。図１は放電灯点灯装置から取り外した状態の電線固定具の内部斜視図、図２は同じく外部斜視図、図３は同じく内部平面図、図４は同じく外部平面図、図５は同じく側面図、図６は放電灯点灯装置の上面図、図７は放電灯点灯装置に取り付けた状態の電線固定具の横断面図、図８は放電灯点灯装置への電線固定具の取り付け図である。
【００２１】
本実施形態の電線固定具は、ベース部１と、ベース部１の上面に覆設する２つのフタ部２、ベース部１とフタ部２とを連結する曲折可能な２つの連結部３とから構成されており、ベース部１、フタ部２、連結部３とは合成樹脂を材料として一体に形成されている。
【００２２】
次に本実施形態の電線固定具によるケーブル５１，５２（従来例と同様）の固定（図７では、図示しているケーブル５１は２つのフタ部２のうち一方によって挟持され、図示しないケーブル５２は２つのフタ部２のうち他方によって挟持されており、その両者の挟持の構成は同様である）と、電線固定具の放電灯点灯装置１００への取り付けとについて説明する。まず、ベース部１は上面側を開口した略函形形状に形成されており、底面上の後側に立設された係止部５の先端に形成された鉤形の係止片５ａを放電灯点灯装置１００の前面に設けた係止部７０に係止させて、放電灯点灯装置１００の前面に設けた接続端子部５０の前面，側面及び下面を覆う状態に取り付けられる。そして、ベース部１の開口端の前面側にはフタ部２と同数の２つの切り欠き部７，７を設けて、切り欠き部７の底面には前後方向に凹凸が交互に連続する波形形状の滑り止め部４が形成されており、ケーブル５１，５２の各々の電線の端末の被覆を剥いて導体を露出させてから、滑り止め部４，４上にケーブル５１，５２を各々設置し、その各導体を接続端子部５０の各端子部に挿入・接続する。ここで、放電灯点灯装置１００は、限流素子を含む電気回路部から構成されている。
【００２３】
次に、ベース部１の開口の両側方向半分ずつに各々覆設する２つのフタ部２，２は、後端に略Ｌ字の切り欠き部２１を２つづつ設けており、この切り欠き部２１を放電灯点灯装置１００の前面に立設した断面Ｌ字形の突起６０に各々嵌合させて、下方向にスライドさせることで、フタ部２，２をベース部１の上面に覆設させ、接続端子部５０の上面を覆う状態に取り付けられて、ベース部１の切り欠き部７，７とフタ部２，２の下面とでケーブル５１，５２を挿通させて上下方向から挟持する挟持部が構成される。フタ部２の下面前方には、ベース部１の滑り止め部４，４に対向した箇所に、前後方向に凹凸が交互に連続する波形形状の滑り止め部２０，２０が形成されており、ケーブル５１，５２は、滑り止め部４，４と滑り止め部２０，２０との間に挟まれた状態になる。
【００２４】
そして、ベース部１の切り欠き部７，７の両側にはねじ孔６が各々形成され、このねじ孔６に対向したフタ部２の滑り止め部２０，２０の両側には開孔２２が形成されており、ねじ５３が開孔２２を介してねじ孔６に螺合し、ねじ５３をねじ込むことで、切り欠き部７，７とフタ部２とで構成される挿通孔に挿通したケーブル５１，５２は、滑り止め部４，４と滑り止め部２０，２０とで上下方向に挟持・固定される。
【００２５】
したがって、ケーブル５１，５２に引張力が加わった場合でも、ケーブル５１，５２は接続端子部５０の前段で波形形状の滑り止め部４，４と滑り止め部２０，２０とによって挟持されているので、接続端子部５０に接続しているケーブル５１，５２の各端末に伝達される引張力は緩和され、接続端子部５０に伝達される引張力も緩和される。さらに、波形形状の滑り止め部４，４と滑り止め部２０，２０とにより、ケーブル５１，５２は滑りにくくなり、保持力の向上を図ることができる。
【００２６】
また、ベース部１とフタ部２とによって接続端子部１２が確実に覆われているので、粉塵等の侵入を防ぐことができる。
【００２７】
なお、放電灯点灯装置に接続するケーブル（電線）の数が多い場合は、上記フタ部２の数をケーブル本数（電線本数）に応じて増やした電線固定具により対応することができる。
【００２８】
（実施形態２）
本実施形態の電線固定具は、実施形態１の電線固定具に比べて、ケーブル５１，５２を挟持・固定する箇所を増やしたものである。なお、実施形態１と同様の構成には同一の符号を付して説明は省略する。具体的には、図９の放電灯点灯装置に取り付けた状態の電線固定具の横断面図に示すように、ベース部１の底面上に、滑り止め部４から後方に向かって凸部８，１０を順に設けて、凸部８，１０の各端面は波形形状の滑り止め部９，１１が形成されており、滑り止め部９，１１に対向するフタ部２の下面には凸部２３，２５を設けて、凸部２３，２５の各端面には波形形状の滑り止め部２４，２６が形成されている。しかも滑り止め部４，２０の高さ位置、滑り止め部９，２４の高さ位置、及び滑り止め部１１，２６の上下方向の高さ位置は互いに異なっており、ケーブル５１はこの３箇所の滑り止め部で挟持・固定されることによって、水平方向（前後方向）の引張力に対する固定をより強化したものであり、接続端子部５０にはより引張力が伝達され難い構造となっている。
【００２９】
（実施形態３）
本実施形態の電線固定具を図１０，１１に基づいて説明する。図１０は放電灯点灯装置から取り外した状態の電線固定具の内部斜視図、図１１は放電灯点灯装置に取り付けた状態の電線固定具の上面断面図である。本実施形態の電線固定具は、実施形態１の電線固定具のベース部１の滑り止め部４，４の後方の底面上に円柱１２，１２を立設したもので、円柱１２の上面側からは軸方向にねじ孔１３が形成されている。なお、実施形態１と同様の構成には同一の符号を付して説明は省略する。
【００３０】
次に本実施形態の電線固定具によるケーブル５１，５２の固定と、電線固定具の放電灯点灯装置１００への取り付けとについて説明する。まず、ベース部１は上面側を開口した略函形形状に形成されており、底面上の後側に立設された係止部５の先端に形成された楔型の係止片５ａを放電灯点灯装置１００の前面に設けた係止部７０に係止させて、放電灯点灯装置１００の前面に設けた接続端子部５０の前面，側面及び下面を覆う状態に取り付けられる。そして、ベース部１の開口端の前面側にはフタ部２と同数の２つの切り欠き部７，７を設けて、切り欠き部７の底面には前後方向に凹凸が交互に連続する波形形状の滑り止め部４が形成されており、ケーブル５１，５２の各々の電線の端末の被覆を剥いて導体を露出させてから、滑り止め部４，４上にケーブル５１，５２を各々設置し、且つケーブル５１，５２を円柱１２，１２に各々１回巻回してから、その各導体を放電灯点灯装置１００の前面に設けた接続端子部５０の各端子部に挿入・接続する。
【００３１】
次に、ベース部１の開口の両側方向半分ずつに各々覆設する２つのフタ部２，２は、後端に略Ｌ字の切り欠き部２１を２つづつ設けており、この切り欠き部２１を放電灯点灯装置１００の前面に立設した断面Ｌ字形の突起６０に各々嵌合させて、下方向にスライドさせることで、フタ部２，２をベース部１の上面に覆設させ、接続端子部５０の上面を覆う状態に取り付けられて、ベース部１の切り欠き部７，７とフタ部２，２の下面とでケーブル５１，５２を挿通させて上下方向から挟持する挟持部が構成される。フタ部２の下面前方には、ベース部１の滑り止め部４，４に対向した箇所に、前後方向に凹凸が交互に連続する波形形状の滑り止め部２０，２０が形成されており、ケーブル５１，５２は、滑り止め部４，４と滑り止め部２０，２０との間に挟まれた状態になる。
【００３２】
そして、フタ部２の略中央には開孔２７が形成されており、ねじ（図示なし）が開孔２７を介して円柱１２の上面からねじ孔１３に螺合し、ねじをねじ込むことで、切り欠き部７，７とフタ部２の下面とで構成される挿通孔に挿通したケーブル５１，５２は、滑り止め部４，４と滑り止め部２０，２０とで上下方向に挟持・固定される。
【００３３】
したがって、実施形態１と同様に、ケーブル５１，５２は接続端子部５０の前段で波形形状の滑り止め部４，４と滑り止め部２０，２０とによって挟持されているので、接続端子部５０に接続しているケーブル５１，５２の各端末に伝達される引張力は緩和され、接続端子部５０に伝達される引張力も緩和される。そして、波形形状の滑り止め部４，４と滑り止め部２０，２０とにより、ケーブル５１，５２は滑りにくくなり、保持力の向上を図ることができる。
【００３４】
さらに、円柱体１２にケーブル５１，５２を巻回することで、ケーブル５１，５２に引張力が加わった場合でも引張力を吸収することができ、接続端子部５０に伝達される引張力をより緩和することができる。
【００３５】
また、ベース部１とフタ部２とによって接続端子部１２が確実に覆われているので、粉塵等の侵入を防ぐことができる。
【００３６】
なお、放電灯点灯装置に接続するケーブル（電線）の数が多い場合は、上記フタ部２の数をケーブル本数（電線本数）に応じて増やした電線固定具により対応することができる。
【００３７】
（実施形態４）
本実施形態の電線固定具を図１２，１３，１４に基づいて説明する。図１２は放電灯点灯装置から取り外した状態の電線固定具の内部平面図、図１３は放電灯点灯装置に取り付けた状態の電線固定具の上面断面図、図１４は同じく横断面図である。本実施形態の電線固定具は、実施形態１の電線固定具のフタ部２の下面後端から前方に向かってしきり壁２８を形成したものであり、実施形態１と同様の構成には同一の符号を付して説明は省略する。そして、図１３，１４に示すように、ケーブル５１は２本の電線５１ａを有し、ケーブル５２は２本の電線５２ａを有して、電線５１ａ，５２ａは各１本ずつが接続端子部５０の異なる端子台に接続されており、フタ部２をベース部１に覆設した状態では、しきり壁２８が２本の電線５１ａの間、及び２本の電線５２ａの間に位置して、電線５１ａ、及び電線５２ａを各々分離するように構成されている。
【００３８】
したがって、電線５１ａ，５２ａの被覆を剥いた部分が長すぎると線間絶縁距離の不足が発生する場合があるが、しきり壁２８を電線間に介在させることで確実に絶縁距離を保って絶縁距離の不足を防止することができる。
【００３９】
（実施形態５）
本実施形態の電線固定具は、フタ部２のベース部１への取り付け構造が実施形態１とは異なるもので、実施形態１と同様の構成には同一の符号を付して説明は省略する。図１５は放電灯点灯装置から取り外した状態の電線固定具の横断面図であり、フタ部２は、鋸歯状の突起３０を表面に形成した棒状のバンド２９を下面に突設し、ベース部１は、フタ部２が覆設されたときにバンド２９が挿通して鋸歯状の突起３０が嵌合する嵌合部１５を内部に形成した挿通孔１４を備える。
【００４０】
本実施形態では、実施形態１，２のようにフタ部２をベース部１にねじ止めする代わりに、フタ部２のバンド２９をベース部１の挿通孔１４に押し込み、バンド２９の鋸歯状の突起３０を挿通孔１４の嵌合部１５に嵌合させることで、ケーブル５１，５２は、滑り止め部４，４と滑り止め部２０，２０とで上下方向に挟持・固定される。さらに、連結部３はベース部側、及びフタ部側に切れ目３ａを有しており、フタ部２をベース部１に取り付けた後は、連結部３を手で折り曲げて切れ目３ａから切り取る。
【００４１】
したがって、ねじを使わない簡単な構成で、ケーブル５１，５２に引張力が加わった場合でも、ケーブル５１，５２は接続端子部５０の前段で波形形状の滑り止め部４，４と滑り止め部２０，２０とによって挟持されており、接続端子部５０に接続しているケーブル５１，５２の各端末に伝達される引張力は緩和され、接続端子部５０に伝達される引張力も緩和される。さらに、波形形状の滑り止め部４，４と滑り止め部２０，２０とにより、ケーブル５１，５２は滑りにくくなり、保持力の向上を図ることができる。
【００４２】
また、ベース部１とフタ部２とによって接続端子部１２が確実に覆われているので、粉塵等の侵入を防ぐことができる。
【００４３】
なお、放電灯点灯装置に接続するケーブル（電線）の数が多い場合は、上記フタ部２の数をケーブル本数（電線本数）に応じて増やした電線固定具により対応することができる。
【００４４】
【発明の効果】
請求項１の発明は、ベース部、前記ベース部の上面に覆設する２つ以上のフタ部、前記ベース部と各フタ部とを連結する連結部を備えて、前記ベース部と各フタ部とは電気回路部の接続端子部に接続される電線を挿通させて挟持する挟持部を各々構成して、前記接続端子部を覆い、前記挟持部には電線滑り止め部を設けて、前記ベース部とフタ部と連結部とは樹脂で一体に成形されるので、径が互いに異なる電線を固定する場合でも、電線毎にフタ部を設けて挟持・固定することで確実に固定することができるという効果がある。さらに無駄な電線挿入口は必要ないので、省スペース化が可能となり、また粉塵侵入防止能力に優れた構造を実現することができる。
【００４５】
請求項２の発明は、請求項１において、前記電気回路部は少なくとも限流素子を含み、前記ベース部は、前記電気回路部の接続端子部の前面，側面及び下面を覆う壁面と、前記電線を挿通させる前記フタ部と同数の切り欠き部とを有し、前記各フタ部は、前記接続端子部の上面を覆う壁面を有して、前記ベース部の各切り欠き部とで前記電線を上下方向から挟持して前記挟持部を各々構成し、前記電線滑り止め部は前記切り欠き部に設けるので、挟持部を簡単、安価に構成することができるという効果がある。
【００４６】
請求項３の発明は、請求項１または２において、前記挟持部は、互いに高さの異なる２箇所以上で同一の電線を挟持するので、引張力に対する電線の固定の強さをより強化することができるという効果がある。
【００４７】
請求項４の発明は、請求項１乃至３いずれかにおいて、前記ベース部は、内面上に１本以上の円柱体を立設し、前記挟持部を挿通してきた電線は前記円柱体に１回以上巻回するので、円柱体に電線を巻回することで電線の引張力を吸収することができ、電気回路部の接続端子部に伝達される引張力をさらに緩和することができるという効果がある。
【００４８】
請求項５の発明は、請求項４において、前記円柱体は端面から軸方向に螺刻したねじ孔を備えており、前記フタ部は前記円柱体の端面に対向する箇所に開口を設けて、取付ねじを前記開口を介して前記円柱体のねじ孔に螺挿することで前記フタ部とベース部とを互いに固定するので、請求項４が奏する効果に付加して、簡単な構造でフタ部をベース部に取り付けることができるという効果がある。
【００４９】
請求項６の発明は、請求項１乃至５いずれかにおいて、前記挟持部は２本以上の電線を有するケーブルを挿通して、挟持し、前記フタ部は、前記挟持部を挿通してきたケーブルの各電線を分離する仕切壁を下面に立設したので、電線間の絶縁距離を確実に保って絶縁距離の不足を防止することができるという効果がある。
【００５０】
請求項７の発明は、請求項１乃至６いずれかにおいて、前記フタ部は、鋸歯状の突起を形成した棒体を下面に突設し、前記ベース部は、前記棒体が挿通する挿通孔を備えて、前記挿通孔の内部には前記鋸歯状の突起が嵌合する嵌合部が形成されているので、ねじを用いずに、簡単な構造でフタ部をベース部に取り付けることができるという効果がある。
【００５１】
請求項８の発明は、請求項１乃至７いずれかにおいて、前記フタ部は電気回路部に設けられた嵌合片に嵌合する嵌合部を備えるので、電気回路部内部の空間を狭くすることなく、フタ部を電気回路部に確実に固定することができるという効果がある。
【００５２】
請求項９の発明は、請求項１乃至８いずれかにおいて、前記ベース部と前記２つ以上のフタ部とを各々連結する２つ以上の連結部は、前記ベース部及びフタ部から分離される手段を備えるので、フタ部をベース部に取り付けた後は連結部を切り離して、小型化を図ることができるという効果がある。
【図面の簡単な説明】
【図１】本発明の実施形態１の放電灯点灯装置から取り外した状態の電線固定具を示す内部斜視図である。
【図２】同上の放電灯点灯装置から取り外した状態の電線固定具を示す外部斜視図である。
【図３】同上の放電灯点灯装置から取り外した状態の電線固定具を示す内部斜視図である。
【図４】同上の放電灯点灯装置から取り外した状態の電線固定具を示す外部平面図である。
【図５】同上の放電灯点灯装置から取り外した状態の電線固定具を示す側面図である。
【図６】同上の放電灯点灯装置の上面図である。
【図７】同上の放電灯点灯装置に取り付けた状態の電線固定具を示す横断面図である。
【図８】同上の放電灯点灯装置への電線固定具の取り付け状態を示す図である。
【図９】本発明の実施形態２の電灯点灯装置に取り付けた状態の電線固定具を示す横断面図である。
【図１０】本発明の実施形態３の放電灯点灯装置から取り外した状態の電線固定具を示す内部斜視図である。
【図１１】同上の放電灯点灯装置に取り付けた状態の電線固定具を示す上面断面図である。
【図１２】本発明の実施形態４の放電灯点灯装置から取り外した状態の電線固定具を示す内部平面図である。
【図１３】同上の放電灯点灯装置に取り付けた状態の電線固定具を示す上面断面図である。
【図１４】同上の放電灯点灯装置に取り付けた状態の電線固定具を示す横断面図である。
【図１５】本発明の実施形態５の放電灯点灯装置から取り外した状態の電線固定具を示す横断面図である。
【図１６】従来の電線固定具を示す分解斜視図である。
【図１７】同上の放電灯点灯装置に取り付けた状態の電線固定具を示す前面斜視図である。と側面図
【図１８】同上の放電灯点灯装置に取り付けた状態の電線固定具を示す側面図である。
【図１９】同上のフタ部とベース部との位置関係を示す図である。
【符号の説明】
１　ベース部
２　フタ部
３　連結部
４　滑り止め部
５　係止部
２０　滑り止め部
【図１】
2004039994.tif 000003
【図２】
2004039994.tif 000004
【図３】
2004039994.tif 000005
【図４】
2004039994.tif 000006
【図５】
2004039994.tif 000007
【図６】
2004039994.tif 000008
【図７】
2004039994.tif 000009
【図８】
2004039994.tif 000010
【図９】
2004039994.tif 000011
【図１０】
2004039994.tif 000012
【図１１】
2004039994.tif 000013
【図１２】
2004039994.tif 000014
【図１３】
2004039994.tif 000015
【図１４】
2004039994.tif 000016
【図１５】
2004039994.tif 000017
【図１６】
2004039994.tif 000018
【図１７】
2004039994.tif 000019
【図１８】
2004039994.tif 000020
【図１９】
2004039994.tif 000021